(57)【要約】      （修正有）【課題】裏返しに伴う中身の取り出しを不要とする裏返し作業が容易な袋物およびその製造方法を提供する。【解決手段】バッグ１０は、２つの袋部１２，１４とその袋部１２，１４の底面１２ｃ，１４ｃを連結する連結部１６とを備える。袋部１２，１４を連結部１６から折り返すことにより、バッグ１０の表面１２ｆ，１４ｆから裏面１２ｅ，１４ｅに裏返しすることができる。また、バッグ１０は、同型の２枚の裁断物の脇を接いでバッグ１０本体の外形を形成し、前記脇を中縫いしてバッグ１０の連結部１６を形成し、前記連結部１６の幅に沿って前記裁断物を綴じてバッグ１０の底面を形成することにより、袋部１２，１４と連結部１６とが一体形成されるバッグ１０を製造することができる。【選択図】図３
2009160189.tif 000002
【特許請求の範囲】
【請求項１】
２つの袋部とその２つの袋部の底面又は側面を連結する連結部とを備えることを特徴とする袋物。
【請求項２】
前記連結部で連結された袋物の表面と裏面とが異なる色，柄又は素材からなることを特徴とする請求項１記載の袋物。
【請求項３】
袋物の表面と裏面を形成する同型の２枚の裁断物の脇を接いで袋物本体の外形を形成し、前記脇を中縫いして袋物の連結部を形成し、前記連結部の幅に沿って前記裁断物を綴じて袋物の底面又は側面を形成することを特徴とする袋物の製造方法。
【請求項４】
前記２枚の裁断物の色，柄又は素材が異なることを特徴とする請求項３記載の袋物の製造方法。
【発明の詳細な説明】
【技術分野】
【０００１】
本発明は、かばんなどの袋物及びその製造方法に関する。
【背景技術】
【０００２】
外套、帽子などの衣服やかばんなどの袋物に、その表裏を裏返しにしても使用できるリバーシブル商品がある。また、表裏を利用できるリバーシブル商品は、その表面裏面を異なる色，柄又は素材で形成することにより、ＴＰＯに合わせて好みの面を商品の表面とすることできることから、多種の商品に利用されている。
【０００３】
しかし、袋物のリバーシブル商品は、その袋物の収納部分（中身を入れる部分）を形成する袋物本体の表面と裏面を裏返して使用するものであった。表面から裏面に裏返す場合、中身を一旦袋物の外に取り出す必要があった。したがって、裏返し作業は人目につかない場所で行われることが多く、裏返しができる場所が限定されるという問題があった。
また、中身を出し入れする開口部が狭いバッグ等や硬い素材からなるかばんの場合、裏返し作業は容易でないという問題もあった。
【０００４】
そこで、従来、上記問題を解決するためのリバーシブル機能を有するかばんが提供されている（例えば、特許文献１、２）。
【特許文献１】特開２００６−２３９１６８
【特許文献２】特開平７−１１１９１０
【０００５】
特許文献１のかばんは、かばんの表面と裏面を裏返して使用可能なかばん本体と、そのかばん本体の中身を出し入れする開口部から取り出し可能な中かばんとを備えるものである。裏返し作業を行う場合は、中身の入った中かばんを前記開口部から一旦取り出し、中身のないかばん本体を裏返し、裏返しをした後かばん本体にその開口部から中かばんを入れる。したがって、特許文献１のかばんの提供により、中身を人に見られずに裏返しできるようになった。
また、かばん本体の開口部，側面部、底面部には、かばんを全開させるためのファスナーが一連に設けられている。ファスナーを引くことにより、容易に裏返し作業ができるようになっている。
【０００６】
特許文献２のリバーシブルバッグは、バッグ本体と、そのバッグ本体の左右の側面及び底面に渡って設けられたファスナーとを備えるものである。裏返し作業を行う場合は、ファスナーを引いて、バッグ本体に中身を出し入れする開口部より大きな他の開口部を形成し、その他の開口部を利用してバッグ本体を裏返しする。したがって、特許文献２のリバーシブルバッグの提供により、中身を出し入れする開口部が狭いバッグ類や硬い素材からなるかばんであっても、容易に裏返しできるようになった。
【０００７】
しかし、上記特許文献１のかばん及び特許文献２のリバーシブルバッグは、いずれも、裏返し作業のたびに、必ず中身を取り出す必要がありその取り出しは不便であった。
また、裏返しを容易又は可能にするファスナーの劣化・損傷によりリバーシブル機能を失うおそれもあり、さらには、裏返し時にかばん本体を痛めるおそれもあった。
【発明の開示】
【発明が解決しようとする課題】
【０００８】
本発明は、上述の欠点を解決するために、裏返しに伴う中身の取り出しやファスナー使用を不要とする裏返し作業が容易な袋物およびその製造方法を提供することを目的とするものである。
【課題を解決するための手段】
【０００９】
本発明の袋物は、２つの袋部とその２つの袋部の底面又は側面を連結する連結部とを備えるようにしたものである。
【００１０】
また、本発明の袋物は、前記連結部で連結された袋物の表面と裏面とが異なる色，柄又は素材からなるようにしたものである。
【００１１】
本発明の袋物の製造方法は、袋物の表面と裏面を形成する同型の２枚の裁断物の脇を接いで袋物本体の外形を形成し、前記脇を中縫いして袋物の連結部を形成し、前記連結部の幅に沿って前記裁断物を綴じて袋物の底面又は側面を形成するようにしたものである。
【００１２】
また、本発明の袋物の製造方法は、前記２枚の裁断物の色，柄又は素材が異なるようにしたものである。
【発明の効果】
【００１３】
本発明の袋物は、２つの袋部をその２つの袋部の底面又は側面を連結する連結部により一つの袋物に形成するものである。上記袋物は、２つの袋部を連結部から折り返すことが可能なものである。したがって、本発明の袋物では、中身を取り出すことなく、袋物を容易に裏返しすることができる。また、従来のリバーシブル機能を有するかばん等のように、中身を入れる部分を全開する必要もないため、中身を入れる部分を全開するためのファスナーも不要となる。
本発明によると、表面裏面の裏返し作業かきわめて簡単になり、いつでもどこでも自由に行えるようになる。裏返しに必要であったファスナーの劣化・損傷によるリバーシブル機能を消失も防止できる。また、袋物の裏返しは、２つの袋部の折り返しによって行われるため、その袋物本体を痛めるおそれもない。
【００１４】
本発明の袋物の製造方法は、袋物の表面と裏面を形成する同型の２枚の裁断物を使用して袋物を製造する方法であって、その袋物を構成する２つの袋部（中身を収納する部分）とその２つの袋部を連結させる連続部を一体形成するものである。本発明の袋物の製造方法によると、簡易な縫製で袋物の構成部（２つの袋部およびその連結部）を同時に製造することができるため、製造コストを軽減できる。
【００１５】
また、本発明の袋物の表面と裏面を形成する裁断物に、色，柄又は素材が異なる２枚の裁断物を使用することにより、ＴＰＯに合わせて表面を変えることができる袋物を提供することができる。
【発明を実施するための最良の形態】
【００１６】
本発明は、袋物の中身を取り出すことなく、容易に裏返しできるリバーシブル機能を備える袋物およびその製造方法を提供することを実現するものである。
【実施例１】
【００１７】
本発明の袋物を図に基づいて説明する。図１乃至図４は、本発明の袋物を表す図である。図１は本発明の袋物の斜視図であり、図２は本発明の袋物を裏返す途中の形態を表す図であり、図３は本発明の袋物の構成部を表す図であり、図４は裏返し後の本発明の袋物の斜視図である。なお、本実施例では、袋物としてバッグを例に説明する。
バッグ１０は、中身を収納する２つの袋部１２，１４と、その袋部１２，１４の底面１２ａ，１４ａを連結する連結部１６とを備えるものである（図１又は図３）。袋部１２，１４の上部には中身を出し入れする開口部１２ｂ，１４ｂが形成されており、袋部１２，１４の１２ｃ，１４ｃには側面ハンドル部（把手）１２ｄ，１４ｄが取り付けられている（図１）。袋部１２を袋部１４から離してバッグ１０を裏返しする途中の形態は、袋部１２と袋部１４とが連結部１６を介して一つに連なった形態になる（図２）。バッグ１０は、袋部１２の表面１２ｅと袋部１４の表面１４ｅを合わせた状態で一つの使用形態を形成する（図１）。
【００１８】
図３は、バッグ１０の袋部１２と袋部１４をそれぞれ逆方向に９０度展開させた状態図であり、バッグの構成部を表す図である。袋部１２と袋部１４がその各底面１２ａ，１４ａに取り付けられた方形の連結部１６によって連結されている。袋部１２の表面１２ｅと袋部１４の表面１４ｅを合わせるように折り畳むと、バッグ１０は図１の形態となり、一方、袋部１２の表面１２ｆと袋部１４の表面１４ｆを合わせるように折り畳むと、バッグ１０は図４の形態に変えることができる。袋部１２の表面１２ｆと袋部１４の表面１４ｆをバッグ１０の表面とし、袋部１２の表面１２ｅと袋部１４の表面１４ｅをバッグ１０の裏面とする場合、バッグ１０を折り畳む作業により、中身を取り出すことなく、バッグ１０の表裏を容易に裏返しすることができる。また、バッグ１０の表面と裏面を異なる色、柄、素材で形成することにより、その場に応じて好みの色、柄、素材からなるバッグ１０に変えることができる。
以上のように、本発明は、連結部から袋部自体を折り返すことで裏返す作業を実効でき、素材やデザインが異なる面（隠れている裏面）を露出させることを容易にできるものである。
【００１９】
バッグ１０の使用時（図１又は図４）において、連結部１６は、袋部１２，１４の底面１２ａ，１４ａと重なりあい、バッグ１０の底面を形成する（図１又は図４）。
また、連結部１６の幅は、袋部１２の底面１２ａのマチ幅と袋部１４の底面１４ａのマチ幅を合計した幅の２分の１とするのが最も好ましいが、これに限るものではない。
【００２０】
袋部１２，１４の底面１２ａ，１４ａに対する連結部１６の取り付け部分Ｓ（図３）は、公知の固定手段又は接着手段を用いて行うことができる。例えば、かばん類に取り付ける場合は、留め金具，鋲、貫通ステッチなどの固定手段を使用して取り付ける。また、紙袋・ポリ袋などの薄い素材からなる袋に取り付ける場合は、糊接着や熱接着などにより取り付ける。なお、本発明の袋物において、連結部１６の取付手段は上記のものに限定されるものではない。
【００２１】
バッグ１０の連結部１６に袋部１２（又は袋部１４）の底面１２ａ（又は底面１４ａ）に沿ってファスナー１８を設けてもよい（図５）。これにより、バッグ１０として使用する以外に、ファスナー１８を引いて袋部１２，１４を切り離すことにより、袋部１２，１４をバッグとして単体で使用することも可能となる。
また、図１のハンドル部の取り付け位置は、限定されるものではなく、どのような形態で取り付けてもよい（図６）。例えば、袋部１２，１４の開口部を形成する表面１２ｅ，１２ｆ，１４ｅ，１４ｆにハンドル部１９を設けてもよい。
【００２２】
本発明の袋物は、たとえば、ハンドバッグ（主に婦人用ややかちっとしたフェミニンなデザインのもの）、トートバッグ（男女兼用のものが多く幅広い用途がある手提げ型のもの）、ブリーフケース（書類入れ）、パソコンバッグ、ガーメントバッグ（旅行用衣類入れ）、トラベルバッグ、スーツケース、小物入れ（ポーチ）、クラッチバッグ（小脇に抱える形のバッグ）  、ショルダーバッグなどのかばん類のほか、紙袋・ポリ袋（ギフト用、販促用、商品販売用など）等に利用可能であるが、上記の袋物に限定するものではない。
【００２３】
次に、図１乃至図４の本発明の袋物の製造方法の例を図に基づいて説明する。図７は、袋物を形成する裁断物を表す図である。図８（ａ）は、図７の縫製後の図であり、ハンドル部を除いた図３の平面を表す図である。図８（ｂ）は、（ａ）の側面の連結部分を表す図である。
なお、図７の裁断物Ａ，Ｂは、バック１０の型に合わせて布（布帛）を裁断したものとする。また、図７の裁断物Ａはバッグ１０の裏面、裁断物Ｂはバッグ１０の表面をそれぞれ形成するものである。裁断物Ｂの表面には、図１のバッグ１０の表面に現れる模様（３つの三角形が連続する模様）が裁断物Ｂの上下に描かれているものとする（図示せず）。また、図７の一点鎖線は、裁断物Ａ，Ｂの折り目を示すものである。
本発明の袋物の製造方法は、袋物の表面と裏面を形成する同型の２枚の裁断物の脇を接いで袋物本体の外形を形成し、前記脇を中縫いして袋物の連結部を形成し、前記連結部の幅に沿って前記裁断物を綴じて袋物の底面又は側面を形成することにより、袋部と連結部とが一体形成される袋物を製造するものである。
同じの大きさの裁断物Ａと裁断物Ｂを裁断物の表面（模様のある面）が現れるように重ね合わせ、裁断物Ａと裁断物Ｂの脇を接ぐ。すなわち、図７において、裁断物Ａの左側の脇（又は側）Ａ１と裁断物Ｂの左側の脇（又は側）Ｂ１、裁断物Ａの右側の脇（又は側）Ａ２と裁断物Ｂの右側の脇（又は側）Ｂ２をそれぞれ接ぐ。これにより、バック１０の本体の外形が形成される（図８（ａ））。
【００２４】
続いて、裁断物Ａの脇Ａ１とＢ１並びに裁断物Ｂの脇Ａ２とＢ２を中表して連結部１６の幅で中縫いＸを行う（図８（ｂ））。また、中縫いＸ、すなわち連結部１６の幅に沿って貫通ステッチＹを入れて裁断物Ａと裁断物Ｂを綴じ、バッグ１０の底部１２ａ，１４ａを形成する（図８（ａ），（ｂ））。これにより、裁断物Ａと裁断物Ｂの表面によって形成される連結部１６を備えるバッグ１０の本体を製造することができる。なお、バッグ１０の底部１２ａ，１４ａは、脇Ａ４とＢ４，脇Ａ３とＢ３によりそれぞれ形成される。また、バッグ１０の側面１２ｃ，１４ｃは、裁断物Ａ，Ｂの脇Ａ１，Ｂ１及び脇Ａ２，Ｂ２により形成される（図８（ｂ））。
以上のように、上記本発明の袋物の製造方法によると、同型の２枚の裁断物 から袋物を容易に製造することができる。また、袋部と連結部とを一体形成することができる。
【００２５】
次に、本発明の袋物の他の形態を図に基づいて説明する。図９は、本発明の袋物の他の形態を表す図である。図１０は、多数の袋部で形成する袋物の実施例を示す図である。
袋物２０は、袋部２２の側面と袋部２４の側面を連結部２６で連結したものである。なお、袋物２０の構成部は、バッグ１０と同様の構成であるため、その詳細については省略する。また、袋部２２，２４の側面に対する連結部１６の取り付け部分Ｓ（図９）は、図１乃至図４のバッグ１０と同様、公知の固定手段又は接着手段を用いて行うことができ、その連結部１６の取付手段は限定されるものではない。
【００２６】
図９の袋物の形態を用いると、多数の袋部からなる袋物を形成することができる。図１０の袋物２８は、多数の袋部３０，３２，３４，３６の側面を連結部３８で連結するものである。袋部３０，３２，３４，３６を連結部３８から交互に折り畳むことにより、複数の開口部を有する袋物を形成することが可能となる。この形態の袋物は、ポリ袋として、また、買い物量に応じて提供するショッピング袋などに利用することができる。なお、図１０の袋物２８の連結部３８に袋部を切り離しできるようにミシン目４０などを入れておいてもよい。
【００２７】
次に、図９の袋物の製造方法の例を図に基づいて説明する。図１１（ａ）は図９の袋物を形成する裁断物を表す図であり、図１１（ｂ）は、図１１（ａ）の縫製後の袋物本体を表す図である。
なお、図９の裁断物Ｃ，Ｄは、袋物２０の型に合わせて布を裁断したものとする。また、図１１（ａ）の裁断物Ｃおよび裁断物Ｄ（Ｄは図示せず）は袋物２０の表面裏面を形成するものである。また、図１１（ａ）の一点鎖線は、裁断物Ａ，Ｂの折り目を示すものである。
同じの大きさの裁断物Ｃと裁断物Ｄとを裁断物の表面が現れるように重ね合わせ、裁断物Ｃと裁断物Ｄの脇を接ぐ。すなわち、図１１（ａ）において、裁断物Ｃの左側の脇（又は側）Ｃ１と裁断物Ｄの左側の脇（又は側）Ｄ１、裁断物Ｃの右側の脇（又は側）Ｃ２と裁断物Ｄの右側の脇（又は側）Ｄ２、裁断物Ｃの下側の脇（又は側）Ｃ５と裁断物Ｄの右側の脇（又は側）Ｄ５とをそれぞれ接ぐ。これにより、袋物２０本体の外形が形成される（図１１（ｂ））。
【００２８】
続いて、裁断物Ｃの脇Ｃ５と裁断物Ｄの脇Ｄ５を中表して連結部２６の幅で中縫いＸを行う。また、中縫いＸ、すなわち連結部２６の幅に沿って貫通ステッチＹを入れて裁断物Ｃと裁断物Ｄを綴じ、袋者２０の側面２２ａ，２４ａを形成する（図９、図１１（ａ），（ｂ））。これにより、裁断物Ｃと裁断物Ｄの表面によって形成される連結部２６を備える袋物２０の本体を製造することができる。なお、側面２２ａ，２４ａは、脇Ｃ３とＤ３，脇Ｃ４とＤ４によりそれぞれ形成され、側面２２ｂ，２４ｂは、脇Ｃ１とＤ１，脇Ｃ２とＤ２によりそれぞれ形成される。また、袋物２０の底面２５は、脇Ｃ５，Ｄ５により形成される（図１１（ｂ））。
なお、中縫いＸと対向する部分にステッチＺを入れてもよい。
【００２９】
図１０の袋物２８は、図１１（ａ）の裁断物Ｃ，ＤのＰ部分を裁断物Ｃ，Ｄの右側に連続させる裁断物、または、裁断物Ｃ，ＤのＱ部分を裁断物Ｃ，Ｄの左側に連続させる裁断物を上記袋物の製造方法により縫製することにより、製造することができる。
【００３０】
なお、本発明の袋物１０，２０，２８を構成する袋部１２，１４，２２，２４，３０，３２，３４，３６は、同型の袋部、または、異なる型の袋部のいずれであってもよい。
【００３１】
また、本発明の袋物の製造方法において、袋物を形成する裁断物（又は袋物本体）の素材としては、布帛（綿、麻布と絹布等の織物）、化繊（ナイロン、ポリプロピレン、ポリウレタン、ＰＶＣ（ポリ塩化ビニル） 等）、天然皮革、合成皮革、不織布、カーボンファイバー、ポリカーボネイト、紙、ポリビニール、ゴム（ラバー類）などが挙げられるが、これらの素材に限定されるものではない。さらに、袋物１０，２０，２８の底面又は側面を形成するための２枚の裁断物Ａ，Ｂ、Ｃ，Ｄを綴じる手段は、上例の貫通ステッチのほか、公知の固定手段又は接着手段を用いて行ってもよい。例えば、裁断物が貫通ステッチを入れることができない素材の場合は、留め金具，鋲などの固定手段を使用して綴じる。また、紙袋・ポリ袋などの素材の場合は、糊接着や熱接着などを用いて綴じる。なお、裁断物を綴じる手段は上記例示に限定されるものではなく、他の手段を用いてもよい。
【００３２】
本発明の袋物は、一見２つの独立した袋物から構成されているように見える ものであるが、２つの独立した袋物の底面や側面が連結部によって繋がった形態で構築されている。また、本発明の袋物の製造方法による袋物は、一体の裁断物から形成される。連結部を支点にバッグ自体をひっくり返す（すなわち、袋部を折り返す）ことにより、
内側の面（裏面）を外側の面（表面）にすることができる。よって、本発明により、リバーシブル効果兼ツーフェイスのデザインを表現することができる。このように、本発明による袋物の形態は、機能的でありかつ視覚的にもユニークなものとなることから、かばん等の袋物以外に、菓子や食品等のパッケージやギフト用ボックス、文具として筆箱や小物入れなどにも応用する事ができる。紙袋や商品袋として応用した場合には、本発明の袋部の表面と裏面に異なるキャラクター又は店舗ロゴ、広告等を効果的に表示することにより。購買意欲喚起と広報的効果を得ることが期待できる。また、撥水加工された素材を使用した場合、袋部を花瓶等の容器として応用することができ、連結部分と容器部分を視覚的に訴える形態にすることによりインテリアグッズとして活用する事ができる。
【図面の簡単な説明】
【００３３】
【図１】本発明の袋物の斜視図である。
【図２】本発明の袋物を裏返す途中の形態を表す図である。
【図３】本発明の袋物の構成部を表す図である。
【図４】裏返し後の本発明の袋物の斜視図である。
【図５】本発明の袋物の他の形態を表す図である。
【図６】本発明の袋物の他の形態を表す図である。
【図７】袋物を形成する裁断物を表す図である。
【図８】図７の裁断物を縫製した後の図である。
【図９】本発明の袋物の他の形態を表す図である。
【図１０】本発明の袋物の他の形態を表す図である。
【図１１】（ａ）は図９の袋物を形成する裁断物を表す図であり、（ｂ）は、（ａ）の縫製後の袋物本体を表す図である。
【符号の説明】
【００３４】
１０  バッグ
１２，１４  袋部
１２ａ，１４ａ  底面
２０  袋物
２２，２４  袋部
２２ａ，２４ａ  側面
１６，２６  連結部
Ａ，Ｂ，Ｃ，Ｄ  裁断物
Ａ１，Ｂ１，Ａ２，Ｂ２，Ｃ１，Ｄ１，Ｃ２，Ｄ２，Ｃ５，Ｄ５  脇
Ｘ  中縫い
Ｙ  貫通ステッチ
【図１】
2009160189.tif 000003
【図２】
2009160189.tif 000004
【図３】
2009160189.tif 000005
【図４】
2009160189.tif 000006
【図５】
2009160189.tif 000007
【図６】
2009160189.tif 000008
【図７】
2009160189.tif 000009
【図８】
2009160189.tif 000010
【図９】
2009160189.tif 000011
【図１０】
2009160189.tif 000012
【図１１】
2009160189.tif 000013